(57)【要約】【課題】生産性の点で有利な成形装置を提供する。【解決手段】型を用いて基板上の組成物を成形する成形装置であって、前記基板を保持するステージの移動面を規定するステージ定盤と、前記ステージ及び前記ステージ定盤を収容するチャンバと、前記チャンバの内部のパーティクルを除去するための気流を形成するように、前記チャンバの内部に第１気体を供給する動作を行う第１供給部と、前記第１供給部の動作が停止している状態において、前記パーティクルが前記ステージ定盤に付着することを妨げるための気流を前記ステージ定盤上に形成するように、前記チャンバの内部に前記第１気体とは異なる第２気体を供給する動作を行う第２供給部と、を有することを特徴とする成形装置を提供する。【選択図】図１
2019145592.tif 000002
【特許請求の範囲】
【請求項１】
型を用いて基板上の組成物を成形する成形装置であって、
前記基板を保持するステージの移動面を規定するステージ定盤と、
前記ステージ及び前記ステージ定盤を収容するチャンバと、
前記チャンバの内部のパーティクルを除去するための気流を形成するように、前記チャンバの内部に第１気体を供給する動作を行う第１供給部と、
前記第１供給部の動作が停止している状態において、前記パーティクルが前記ステージ定盤に付着することを妨げるための気流を前記ステージ定盤上に形成するように、前記チャンバの内部に前記第１気体とは異なる第２気体を供給する動作を行う第２供給部と、
を有することを特徴とする成形装置。
【請求項２】
前記第２供給部は、前記第１供給部の動作が行われている状態においても、前記チャンバの内部に前記第２気体を供給することを特徴とする請求項１に記載の成形装置。
【請求項３】
前記第１供給部の動作が行われている状態では前記第２供給部の動作が停止され、前記第１供給部の動作が停止している状態では前記第２供給部の動作が行われるように、前記第２供給部を制御する制御部を更に有することを特徴とする請求項１に記載の成形装置。
【請求項４】
前記第１供給部は、前記第１気体を温調する温調部を含み、前記チャンバの内部に前記温調部で温調した前記第１気体を供給する動作を行い、
前記第２供給部は、前記チャンバの内部に前記第２気体を温調せずに供給する動作を行うことを特徴とする請求項１乃至３のうちいずれか１項に記載の成形装置。
【請求項５】
前記第２供給部は、前記第２気体を圧縮する圧縮部と、前記圧縮部で圧縮した前記第２気体を吹き出す吹出口を含むノズルと、を含み、
前記ノズルは、前記移動面に垂直な方向において、前記吹出口の高さが前記移動面を規定する前記ステージ定盤の上面と一致するように配置されていることを特徴とする請求項１乃至４のうちいずれか１項に記載の成形装置。
【請求項６】
前記ステージ定盤を支持するベース定盤を更に有し、
前記第２供給部は、前記第２気体を圧縮する圧縮部と、前記圧縮部で圧縮した前記第２気体を吹き出す吹出口を含む第１ノズル及び第２ノズルと、を含み、
前記第１ノズルは、前記移動面に垂直な方向において、前記第１ノズルの吹出口の高さが前記移動面を規定する前記ステージ定盤の上面と一致するように配置され、
前記第２ノズルは、前記移動面に垂直な方向において、前記第２ノズルの吹出口の高さが前記ベース定盤の上面と一致するように配置されていることを特徴とする請求項１乃至４のうちいずれか１項に記載の成形装置。
【請求項７】
前記第２供給部は、前記チャンバの外部の気体を取り込む取込部を含み、前記取込部で取り込まれた気体を前記第２気体として前記圧縮部に供給することを特徴とする請求項５又は６に記載の成形装置。
【請求項８】
前記第２供給部は、前記第２気体を貯留するタンクを含み、前記タンクに貯留された前記第２気体を前記圧縮部に供給することを特徴とする請求項５又は６に記載の成形装置。
【請求項９】
前記ステージを挟んで前記第２供給部と対向するように配置され、前記第２供給部から供給された前記第２気体を吸引する吸引部を更に有することを特徴とする請求項１乃至８のうちいずれか１項に記載の成形装置。
【請求項１０】
前記吸引部で吸引された前記第２気体を前記チャンバの外部に排気する排気管を更に有することを特徴とする請求項９に記載の成形装置。
【請求項１１】
前記第２供給部は、前記圧縮部で圧縮した前記第２気体を吹き出す吹出口を含む第３ノズルを更に含み、
前記第３ノズルは、前記ステージを挟んで前記第２ノズルと対向するように配置され、前記移動面に垂直な方向において、前記第２ノズルの吹出口の高さが前記ベース定盤の上面と一致するように配置されていることを特徴とする請求項６に記載の成形装置。
【請求項１２】
型を用いて基板上の組成物を成形する成形装置であって、
前記基板を保持するステージの移動面を規定するステージ定盤と、
前記ステージ及び前記ステージ定盤を収容するチャンバと、
前記基板上の組成物を前記型で成形する処理を行う期間において、前記チャンバの内部のパーティクルを除去するための気流を形成するように、前記チャンバの内部に温調された気体を供給する動作を行う第１供給部と、
前記処理を行わない期間において、前記パーティクルが前記ステージ定盤に付着することを妨げるための気流を前記ステージ定盤上に形成するように、前記チャンバの内部に温調されていない気体を供給する動作を行う第２供給部と、
を有することを特徴とする成形装置。
【請求項１３】
型を用いて基板上の組成物を成形する成形装置であって、
前記基板を保持するステージの移動面を規定するステージ定盤と、
前記ステージ及び前記ステージ定盤を収容するチャンバと、
前記チャンバの内部のパーティクルを除去するための気流を形成するように、前記チャンバの内部に気体を供給する動作を行う供給部と、
前記供給部の動作が停止している状態において、前記パーティクルが前記ステージ定盤に付着することを妨げるための気流を前記ステージ定盤上に形成するように、前記チャンバの内部から気体を吸引する動作を行う吸引部と、
を有することを特徴とする成形装置。
【請求項１４】
前記成形装置は、前記型のパターンを前記組成物に接触させることにより前記基板上に前記組成物のパターンを形成することを特徴とする請求項１乃至１３のうちいずれか１項に記載の成形装置。
【請求項１５】
前記成形装置は、前記型の平面部を前記組成物に接触させることにより前記基板上の前記組成物を平坦にすることを特徴とする請求項１乃至１３のうちいずれか１項に記載の成形装置。
【請求項１６】
請求項１４に記載の成形装置を用いてパターンを基板に形成する工程と、
前記工程で前記パターンが形成された前記基板を処理する工程と、
処理された前記基板から物品を製造する工程と、
を有することを特徴とする物品の製造方法。
【発明の詳細な説明】
【技術分野】
【０００１】
本発明は、成形装置及び物品の製造方法に関する。
【背景技術】
【０００２】
半導体デバイスなどを製造するために基板上に微細なパターンを形成（転写）する装置として、インプリント装置（成形装置）が知られている。インプリント装置は、基板上のインプリント材と、パターンが形成された部分（パターン部）を含む型（モールド）とを接触させた状態で、インプリント材に硬化用エネルギーを与えることで基板上にインプリント材のパターンを形成する。
【０００３】
インプリント装置では、型と基板との間にパーティクル（異物）が挟み込まれると、型が破損したり、基板上に形成されるパターンに欠陥が生じたりする。従って、インプリント装置内のパーティクルの量（数）を管理し、パーティクルの量が規定内となる環境下でインプリント装置を稼働させる必要がある。
【０００４】
インプリント装置において、装置電源が投入されると、インプリント装置の各部に電力が供給され、インプリント装置はアイドリング状態となる。次いで、インプリント装置内のパーティクルの量を規定内にするための準備運転が開始され、インプリント装置は準備運転状態となる。インプリント装置内のパーティクルの量が規定内になると装置稼働を開始し、インプリント装置は半導体デバイスなどの物品の製造が可能な稼働状態となる。そして、定期メンテナンスなどでインプリント装置内にアクセスする場合には、装置電源を遮断してインプリント装置の各部の動作を停止させ、インプリント装置を停止状態にする。定期メンテナンスなどが完了すると、装置電源が再び投入されと、インプリント装置は、上述したように、アイドリング状態及び準備運転状態を経て稼働状態となる。
【０００５】
インプリント装置が停止状態になると、インプリント装置内の気流が止まるため、インプリント装置の内部を陽圧に維持することができなくなり、インプリント装置の外部から内部へのパーティクルの流入やパーティクルの落下が始まる。また、インプリント装置の外周パネル（チャンバパネル）を取り外す場合には、インプリント装置の周囲に浮遊するパーティクルがインプリント装置内に流入してしまう。このため、インプリント装置内に流入したパーティクルやインプリント装置内で落下して付着したパーティクルに起因して、装置電源の投入時には、インプリント装置内のパーティクルの量が規定以上になってしまうため、準備運転が必要となる。但し、準備運転は、インプリント装置内に気流を発生させながら基板ステージを往復移動させるなどしてパーティクルの量を規定内にするためだけの生産に寄与しない運転であるため、生産性の向上の阻害となる。
【０００６】
インプリント装置内に気体を供給する技術に関しては従来から幾つか提案されている（特許文献１及び２参照）。特許文献１には、型と基板との間の空間に供給する気体の量（流量）を制御することで、基板上のインプリント材の揮発を抑制する技術が開示されている。具体的には、特許文献１に開示された技術では、型と基板との間の空間に対して、待機期間には一定量の気体を供給し、インプリント処理を行っている期間には供給する気体の量を低減したり、気体の供給を停止したりしている。また、特許文献２には、型と基板との間に供給する気体の種類を切り換えることで、インプリント処理に必要な高価な気体の使用量を低減する技術が開示されている。具体的には、特許文献２に開示された技術では、型と基板との空間に対して、インプリント処理を行っている期間にはヘリウムを供給し、待機期間には窒素などの不活性気体を供給している。
【先行技術文献】
【特許文献】
【０００７】
【特許文献１】特開２０１５−４６６０５号公報
【特許文献２】特開２０１６−１１１２０１号公報
【発明の概要】
【発明が解決しようとする課題】
【０００８】
しかしながら、特許文献１や特許文献２は、インプリント装置を稼働状態にするための準備運転の時間を短縮する技術や準備運転を不要とする技術については開示していない。
【０００９】
本発明は、このような従来技術の課題に鑑みてなされ、生産性の点で有利な成形装置を提供することを例示的目的とする。
【課題を解決するための手段】
【００１０】
上記目的を達成するために、本発明の一側面としての成形装置は、型を用いて基板上の組成物を成形する成形装置であって、前記基板を保持するステージの移動面を規定するステージ定盤と、前記ステージ及び前記ステージ定盤を収容するチャンバと、前記チャンバの内部のパーティクルを除去するための気流を形成するように、前記チャンバの内部に第１気体を供給する動作を行う第１供給部と、前記第１供給部の動作が停止している状態において、前記パーティクルが前記ステージ定盤に付着することを妨げるための気流を前記ステージ定盤上に形成するように、前記チャンバの内部に前記第１気体とは異なる第２気体を供給する動作を行う第２供給部と、を有することを特徴とする。
【００１１】
本発明の更なる目的又はその他の側面は、以下、添付図面を参照して説明される好ましい実施形態によって明らかにされるであろう。
【発明の効果】
【００１２】
本発明によれば、例えば、生産性の点で有利な成形装置を提供することができる。
【図面の簡単な説明】
【００１３】
【図１】本発明の一側面としてのインプリント装置の構成を示す概略図である。
【図２】本発明の一側面としてのインプリント装置の構成を示す概略図である。
【図３】図１及び図２に示すインプリント装置の気体供給部の別の構成を示す概略図である。
【図４】図１及び図２に示すインプリント装置の気体供給部の別の構成を示す概略図である。
【図５】図１及び図２に示すインプリント装置の気体供給部の別の構成を示す概略図である。
【図６】図１及び図２に示すインプリント装置の気体供給部の別の構成を示す概略図である。
【図７】物品の製造方法を説明するための図である。
【図８】図１及び図２に示すインプリント装置を平坦化装置として用いる場合を説明する図である。
【発明を実施するための形態】
【００１４】
以下、添付図面を参照して、本発明の好適な実施の形態について説明する。なお、各図において、同一の部材については同一の参照番号を付し、重複する説明は省略する。
【００１５】
図１は、本発明の一側面としてのインプリント装置１００の構成を示す概略図である。インプリント装置１００は、半導体デバイスや液晶表示素子の製造工程であるリソグラフィ工程に採用され、基板にパターンを形成するリソグラフィ装置である。インプリント装置１００は、型（モールド、テンプレート）を用いて基板上の組成物を成形する成形装置として機能する。本実施形態では、インプリント装置１００は、基板上に供給されたインプリント材と型とを接触させ、インプリント材に硬化用のエネルギーを与えることにより、型の凹凸パターンが転写された硬化物のパターンを形成する。
【００１６】
インプリント材には、硬化用のエネルギーが与えられることによって硬化する硬化性組成物（未硬化状態の樹脂と呼ぶこともある）が用いられる。硬化用のエネルギーとしては、電磁波、熱などが用いられる。電磁波としては、例えば、その波長が１０ｎｍ以上１ｍｍ以下の範囲から選択される、赤外線、可視光線、紫外線などの光を用いる。
【００１７】
硬化性組成物は、光の照射によって、或いは、加熱によって硬化する組成物である。光の照射によって硬化する光硬化性組成物は、重合性化合物と光重合開始剤とを少なくとも含有し、必要に応じて、非重合性化合物又は溶剤を含有してもよい。非重合性化合物は、増感剤、水素供与体、内添型離型剤、界面活性剤、酸化防止剤、ポリマー成分などの群から選択される少なくとも一種である。
【００１８】
インプリント材は、スピンコーターやスリットコーターによって基板上に膜状に付与されてもよい。また、インプリント材は、液体噴射ヘッドによって、液滴状、或いは、複数の液滴が繋がって形成された島状又は膜状で基板上に付与されてもよい。インプリント材の粘度（２５℃における粘度）は、例えば、１ｍＰａ・ｓ以上１００ｍＰａ・ｓ以下である。
【００１９】
基板には、ガラス、セラミックス、金属、半導体、樹脂などが用いられ、必要に応じて、その表面に基板とは別の材料からなる部材が形成されていてもよい。具体的には、基板は、シリコンウエハ、化合物半導体ウエハ、石英ガラスなどを含む。
【００２０】
インプリント装置１００は、インプリント材の硬化法として光硬化法を採用している。インプリント装置１００は、図１に示すように、ベース定盤３と、ベース定盤３に支持されるステージ定盤４と、基板チャック５を介して基板１を保持する基板ステージ６とを有する。ステージ定盤４は、基板ステージ６の移動面を規定し、基板ステージ６は、基板チャック５とともにステージ定盤４によって規定された移動面上を移動する。また、インプリント装置１００は、ベース定盤３に配置された支柱７と、支柱７に支持されて型保持部９を保持するブリッジ定盤とを有する。更に、インプリント装置１００は、照射部１０と、観察系１３と、供給部１４と、制御部２８と、空調システム５０と、チャンバ６０と、気体供給部７０とを有する。なお、本実施形態では、鉛直方向にＺ軸を定義し、Ｚ軸に垂直な平面内で互いに直交する方向にＸ軸及びＹ軸を定義する。
【００２１】
型保持部９は、チャック（不図示）を介して型２を保持する。型保持部９は、型２を少なくともＺ軸方向に位置決めする型駆動部（不図示）を含む。型駆動部は、型２をＺ軸方向以外の方向（例えば、Ｘ軸方向、Ｙ軸方向、及び、Ｘ軸周り、Ｙ軸周り及びＺ軸周りを含む回転方向など）に位置決めする機能を有していてもよい。
【００２２】
基板チャック５は、基板１と基板チャック５との間の空間を減圧することで基板１を保持する。基板ステージ６は、基板チャック５を支持する天板（不図示）と、天板を駆動するステージ駆動部（不図示）とを含む。ステージ駆動部は、例えば、リニアモータやエアシリンダを含み、基板１を少なくともＸ軸方向及びＹ軸方向に位置決めする。ステージ駆動部は、基板１を２軸以上の方向（例えば、６軸方向）に位置決めする機能を有していてもよい。基板ステージ６の位置は、例えば、レーザ干渉計によって計測される。
【００２３】
照射部１０は、例えば、ブリッジ定盤８の上に配置されている。照射部１０は、基板上のインプリント材１ａを硬化するための紫外線１１を射出する。照射部１０から射出された紫外線１１は、ミラー１２で反射し、型２を介して基板上に到達する。
【００２４】
型２は、基板側（−Ｚ方向）の面に形成されたパターン部２ａを含む。パター部２ａには、例えば、十数ナノメートルの線幅のパターン（凹凸構造）が形成されている。型２は、基板側の面とは反対側の面（＋Ｚ方向）の外周部を型保持部９に保持されている。型２は、紫外線１１を透過する材料、例えば、石英で構成されている。
【００２５】
観察系１３は、型２の鉛直上方に配置され、型２のパターン部２ａに形成されたアライメントマークと、基板１に形成されたアライメントマークとを検出する。供給部１４は、基板が供給部１４の下方に位置決めされた際に、未硬化のインプリント材１ａを所定の位置に供給する。チャンバ６０は、基板ステージ６やステージ定盤４を含むインプリント装置１００の各部を収容する。また、チャンバ６０には、定期メンテナンスや故障（修理）などの際に、チャンバ６０に収容されているインプリント装置１００の各部にアクセスするために開閉可能な外周パネル（チャンバパネル）が設けられている。
【００２６】
空調システム５０は、チャンバ６０の内部、即ち、ブース１０１に気体（第１気体）を供給する（流す）ことでインプリント装置１００の発熱部の温度を調整し、かかる調整で温度上昇した気体をブース１０１の外（即ち、チャンバ６０の外部）に排気する。また、空調システム５０は、ブース１０１の圧力が外部の圧力よりも高く維持されるように（即ち、陽圧を維持するように）、ブース１０１に気体を供給する。図１には、空調システム５０からブース１０１に供給されてブース１０１の外に排気される気体の流れを気流ＡＦ１として示している。ここで、ブース１０１に気流ＡＦ１が形成されることで、ブース１０１に存在するパーティクルはブース１０１の外に排出される。このように、空調システム５０は、ブース１０１に存在するパーティクルを除去するための気流ＡＦ１を形成するように、ブース１０１に気体を供給する供給システム（第１供給部）であるともいえる。
【００２７】
空調システム５０は、本実施形態では、送風ファン２０と、冷却部２１と、第１エアフィルタ２２と、温調部２３と、吹出部２４と、排気部２５と、排気ダクト２６と、吸引部２７とを含む。送風ファン２０は、ブース１０１に気体を供給し、かかる気体をブース１０１で循環させるために設けられている。冷却部２１は、送風ファン２０に供給（導入）される気体を予め定められた温度に冷却する。第１エアフィルタ２２は、送風ファン２０から供給されて冷却部２１で冷却された気体に含まれるパーティクルを除去する（気体をクリーン化する）。温調部２３は、第１エアフィルタ２２を通過した気体を予め定められた温度に調整（温調）する。吹出部２４は、温調部２３で温調された気体（温調気体）をブース１０１に吹き出す。排気部２５は、インプリント装置１００の発熱部の熱を吸収して温度上昇した気体をブース１０１の外に排気する。排気ダクト２６は、送風ファン２０の吸引力によって排気部２５から排気された気体を送風ファン２０に供給（導入）する。吸引部２７は、送風ファン２０の吸引力によってブース１０１の外から気体（外気）を取り入れて送風ファン２０に供給（導入）する。
【００２８】
制御部２８は、ＣＰＵやメモリなどを含み、インプリント装置１００の全体を制御する。制御部２８は、例えば、基板ステージ６、型保持部９、照射部１０、観察系１３及び供給部１４を統括的に制御してインプリント処理を行う。インプリント処理は、供給処理と、押印処理と、硬化処理と、離型処理とを含む。供給処理は、基板１（ショット領域）にインプリント材１ａを供給する処理である。押印処理は、型２と基板上のインプリント材１ａとを接触させる処理である。硬化処理は、型２と基板上のインプリント材１ａとを接触させた状態でインプリント材１ａを硬化させる処理である。離型処理は、基板上の硬化したインプリント材１ａから型２を引き離す処理である。
【００２９】
また、制御部２８は、空調システム５０を介して、上述したように、ブース１０１で循環する気体を温調する温調処理を制御する。制御部２８は、定期メンテナンスなどでインプリント装置１００の装置電源（動力源）が遮断されると、空調システム５０（送風ファン２０や温調部２３）を含むインプリント装置１００の各部の動作を停止させる。装置電源を遮断した状態におけるインプリント装置１００を図２に示す。図２に示すように、送風ファン２０（空調システム５０）が動作を停止すると、ブース１０１での気体の循環が停止し、ブース１０１に気体が供給されなくなるため、気流ＡＦ１も形成されなくなる。従って、ブース１０１を陽圧に維持することができなくなり、ブース１０１の外からブース１０１にパーティクルが流入してしまう。更に、チャンバ６０の外周パネルを取り外す場合には、ブース１０１の外に浮遊するパーティクルがブース１０１に流入してしまう。そして、ブース１０１に存在するパーティクルは落下して、基板ステージ６の移動面を規定する、ステージ定盤４の上面４ａに付着（堆積）することになる。
【００３０】
そこで、本実施形態では、空調システム５０の動作が停止している状態であっても、ブース１０１に存在するパーティクルが落下してステージ定盤４の上面４ａに付着することを低減（防止）するために、気体供給部７０（第２供給部）を設けている。気体供給部７０は、装置電源とは異なる電源で動作し、空調システム５０の動作が停止している状態において、ブース１０１に、空調システム５０から供給する気体とは異なる気体（第２気体）を供給する。この際、気体供給部７０は、図１及び図２に示すように、ブース１０１に存在するパーティクルがステージ定盤４に付着することを妨げるための気流ＡＦ２をステージ定盤上に形成するように、ブース１０１に気体を供給する。気体供給部７０からブース１０１に供給される気体は、例えば、クリーンドライエアを含む。
【００３１】
気体供給部７０は、給気管３０と、圧縮部３１と、第２エアフィルタ３２と、エアノズル３３とを含む。給気管３０は、ブース１０１の外からブース１０１に気体を供給（導入）するための管である。圧縮部３１は、給気管３０から供給された気体を一旦貯留して、かかる気体を圧縮する。第２エアフィルタ３２は、圧縮部３１で圧縮された気体に含まれるパーティクルを除去する（気体をクリーン化する）。エアノズル３３は、圧縮部３１で圧縮されて第２エアフィルタ３２でクリーン化された気体を吹き出す（噴射する）吹出口３３ａを含む。エアノズル３３は、ステージ定盤４の上面４ａに垂直な方向（Ｚ軸方向）において、吹出口３３ａの高さがステージ定盤４の上面４ａと一致するように配置されている。また、エアノズル３３は、ステージ定盤４の上面４ａに対して、広く、且つ、均等に、所定の圧力で気体を吹き出すために、Ｙ軸方向に沿って配列された複数の吹出口３３ａを含む。エアノズル３３（吹出口３３ａ）から吹き出された気体は、ステージ定盤４の上面４ａを一様に流れ、気流ＡＦ２を形成する。エアノズル３３には、少量の気体を供給することで周囲の気体を大量に巻き込み、例えば、供給量を１０倍から２５倍に増幅させることができる増幅型ノズルを用いてもよい。
【００３２】
気体供給部７０からブース１０１に供給される気体によって、ステージ定盤４の上面４ａは、空調システム５０の動作が停止している状態であっても、気流ＡＦ２で覆われることになる。これにより、ブース１０１に存在するパーティクルが落下したとしても、ステージ定盤４の上面４ａに付着（堆積）することなく、ステージ定盤４の上の空間を浮遊することになる。かかる状態を維持しながら、定期メンテナンスなどが行われる。
【００３３】
定期メンテナンスなどが終了し、装置電源が投入されると、制御部２８は、空調システム５０（送風ファン２０や温調部２３）を含むインプリント装置１００の各部を動作させる。空調システム５０が動作すると、空調システム５０から供給された気体が基板ステージ６の周辺に流れ、気流ＡＦ１が形成される。これにより、ステージ定盤４の上の空間を浮遊していたパーティクルは、気流ＡＦ１によって流れ、排気部２５から排気されてエアフィルタで除去される。
【００３４】
気体供給部７０を有していない従来のインプリント装置では、装置電源を遮断すると、上述したように、ブース１０１に存在するパーティクルが落下してステージ定盤４の上面４ａに付着してしまう。パーティクルがステージ定盤４に付着すると、ステージ定盤４とパーティクルとの間に分子間力、摩擦力及び静電気力などの力が働くため、基板ステージ６の周辺に気流ＡＦ１が再び形成されても、パーティクルはステージ定盤４から容易に離脱することができない。このため、ブース１０１に気流ＡＦ１を発生させながら基板ステージ６を往復移動させるなどしてパーティクルの量を規定内にするための準備運転に長時間を要してしまう。
【００３５】
一方、本実施形態では、空調システム５０の動作が停止している状態であっても、気体供給部７０からブース１０１に供給される気体によって、ステージ定盤上に気流ＡＦ２を形成している。従って、ブース１０１に存在するパーティクルがステージ定盤４の上面４ａに付着することが抑制され、装置電源を投入してから短時間で、基板ステージ６の周辺からパーティクルを除去することができる。これにより、インプリント装置１００は、半導体デバイスなどを生産可能な稼働状態にするための準備運転に要する時間を短縮し、高い生産性を実現することができる。
【００３６】
これまでは、図１に示すように、空調システム５０が動作している状態においても（即ち、常に）、気体供給部７０は、ブース１０１に気体を供給する場合を例に説明したが、これに限定されるものではない。例えば、制御部２８によって、空調システム５０が動作している状態では気体供給部７０の動作が停止され、空調システム５０の動作が停止している状態では気体供給部７０が動作するように、気体供給部７０を制御してもよい。この場合、制御部２８は、図３に示すように、圧縮部３１を制御する。制御部２８は、装置電源が投入されて空調システム５０が動作している状態では、圧縮部３１の動作を停止させ、装置電源が遮断されて空調システム５０の動作が停止している状態では、圧縮部３１を動作させるように、気体供給部７０を制御する。
【００３７】
このように、空調システム５０の動作が停止している状態でのみ、圧縮部３１（気体供給部７０）を動作させることで、気体供給部７０からブース１０１に供給される気体の量（供給量）を削減することができる。また、空調システム５０の動作が停止している状態であっても、気流ＡＦ２で覆われることになるため、パーティクルは、ステージ定盤４の上面４ａに付着することなく、ステージ定盤４の上の空間を浮遊することになる。従って、装置電源を投入してから短時間で、基板ステージ６の周辺からパーティクルを除去することができるため、準備運転に要する時間を短縮し、高い生産性を実現することができる。
【００３８】
また、図１乃至図３では、気体供給部７０は、ブース１０１の外の気体を取り込み、かかる気体をブース１０１に供給している。換言すれば、ブース１０１の外の気体を取り込む取込部として給気管３０を機能させ、給気管３０で取り込まれた気体を圧縮部３１に供給している。但し、図４に示すように、クリーンドライエアなどの気体を貯留するタンク３４を気体供給部７０に設けて、タンク３４に貯留された気体を圧縮部３１に供給してもよい。この場合、制御部２８は、タンク３４とエアノズル３３とを繋ぐ管の途中に配置された電磁弁３５を制御する。制御部２８は、装置電源が投入されて空調システム５０が動作している状態では、電磁弁３５を閉じてエアノズル３３からブース１０１への気体の供給（吹き出し）を停止させる。また、制御部２８は、装置電源が遮断されて空調システム５０の動作が停止している状態では、電磁弁３５を開いてエアノズル３３からブース１０１への気体の供給を行わせる。空調システム５０の動作が停止している状態でのみ、タンク３４に貯留された気体を使用することで、気体供給部７０からブース１０１に供給される気体の量（供給量）を削減することができる。
【００３９】
また、気体供給部７０は、図５に示すように、基板ステージ６を挟んでエアノズル３３（気体供給部７０）と対向するように配置され、エアノズル３３から供給された気体を吸引する吸引部３６と、排気管３８とを含んでいてもよい。吸引部３６で吸引された気体は、排気管３８を介して、ブース１０１の外に排気される。この場合、制御部２８は、排気管３８の途中に設けられた電磁弁３７を制御する。制御部２８は、装置電源が遮断されて空調システム５０の動作が停止している状態では、電磁弁３７を開き、装置電源が投入されて空調システム５０が動作している状態では、電磁弁３７を閉じる。
【００４０】
このように、吸引部３６から気体を吸引することで、ステージ定盤４の上の空間を浮遊していたパーティクルの一部又は全部を、基板ステージ６の近傍から除去することができる。これにより、装置電源を投入した直後に基板ステージ６の近傍におけるパーティクルの量を規定以下にすること、或いは、装置電源を投入してから短時間で、基板ステージ６の周辺からパーティクルを除去することができる。従って、準備運転に要する時間を短縮し、高い生産性を実現することができる。
【００４１】
また、気体供給部７０は、吸引部３６及び排気管３８のみで構成することも可能である。この場合、空調システム５０の動作が停止している状態において、吸引部３６が気体を吸引することで気流を形成し、かかる気流でステージ定盤４の上面４ａを覆うようにする。これにより、基板ステージ６の近傍に存在するパーティクルの一部又は全部を除去することができる。このため、装置電源を投入した直後に基板ステージ６の近傍におけるパーティクルの量を規定以下にすること、或いは、装置電源を投入してから短時間で、基板ステージ６の周辺からパーティクルを除去することができる。従って、準備運転に要する時間を短縮し、高い生産性を実現することができる。
【００４２】
また、気体供給部７０は、図６に示すように、エアノズル（第１ノズル）３３に加えて、エアノズル（第２ノズル）３９と、エアノズル（第３ノズル）４０とを更に含んでいてもよい。エアノズル３９は、圧縮部３１で圧縮されて第２エアフィルタ３２でクリーン化された気体を吹き出す（噴射する）吹出口３９ａを含む。エアノズル３９は、ステージ定盤４の上面４ａに垂直な方向（Ｚ軸方向）において、吹出口３９ａの高さがベース定盤３の上面３ａと一致するように配置されている。エアノズル４０は、圧縮部３１で圧縮されて第２エアフィルタ３２でクリーン化された気体を吹き出す（噴射する）吹出口４０ａを含む。エアノズル４０は、基板ステージ６を挟んでエアノズル３９と対向するように配置され、ステージ定盤４の上面４ａに垂直な方向（Ｚ軸方向）において、吹出口４０ａの高さがベース定盤３の上面３ａと一致するように配置されている。エアノズル３９及び４０から吹き出された気体は、ベース定盤３及びステージ定盤４によって形成される窪みに沿うように流れ、気流ＡＦ３を形成する。このように、ブース１０１に浮遊しているパーティクルの吹き溜まりになる可能性がある箇所にも気体を供給して気流を形成することで、吹き溜まりによるパーティクルの堆積を抑制することができる。なお、図６では、ベース定盤３及びステージ定盤４によって形成される窪みに気流ＡＦ３を形成する場合を例に説明したが、パーティクルの吹き溜まりになり易い他の箇所にも気流を形成するようにしてもよい。
【００４３】
インプリント装置１００を用いて形成した硬化物のパターンは、各種物品の少なくとも一部に恒久的に、或いは、各種物品を製造する際に一時的に、用いられる。物品とは、電気回路素子、光学素子、ＭＥＭＳ、記録素子、センサ、或いは、型などである。電気回路素子としては、ＤＲＡＭ、ＳＲＡＭ、フラッシュメモリ、ＭＲＡＭなどの揮発性又は不揮発性の半導体メモリや、ＬＳＩ、ＣＣＤ、イメージセンサ、ＦＰＧＡなどの半導体素子などが挙げられる。型としては、インプリント用のモールドなどが挙げられる。
【００４４】
硬化物のパターンは、上述の物品の少なくとも一部の構成部材として、そのまま用いられるか、或いは、レジストマスクとして一時的に用いられる。基板の加工工程においてエッチング又はイオン注入などが行われた後、レジストマスクは除去される。
【００４５】
次に、物品の具体的な製造方法について説明する。図７（ａ）に示すように、絶縁体などの被加工材が表面に形成されたシリコンウエハなどの基板１を用意し、続いて、インクジェット法などにより、被加工材の表面にインプリント材１ａを付与する。ここでは、複数の液滴状になったインプリント材１ａが基板上に付与された様子を示している。
【００４６】
図７（ｂ）に示すように、インプリント用の型２を、その凹凸パターンが形成された側を基板上のインプリント材１ａに向け、対向させる。図７（ｃ）に示すように、インプリント材１ａが付与された基板１と型２とを接触させ、圧力を加える。インプリント材１ａは、型２と被加工材との隙間に充填される。この状態で硬化用のエネルギーとして光（紫外線）を型２を介して照射すると、インプリント材１ａは硬化する。
【００４７】
図７（ｄ）に示すように、インプリント材１ａを硬化させた後、型２と基板１を引き離すと、基板上にインプリント材１ａの硬化物のパターンが形成される。この硬化物のパターンは、型２の凹部が硬化物の凸部に、型２の凸部が硬化物の凹部に対応した形状になっており、即ち、インプリント材１ａに型２の凹凸パターンが転写されたことになる。
【００４８】
図７（ｅ）に示すように、硬化物のパターンを耐エッチングマスクとしてエッチングを行うと、被加工材の表面のうち、硬化物がない、或いは、薄く残存した部分が除去され、溝となる。図７（ｆ）に示すように、硬化物のパターンを除去すると、被加工材の表面に溝が形成された物品を得ることができる。ここでは、硬化物のパターンを除去したが、加工後も除去せずに、例えば、半導体素子などに含まれる層間絶縁用の膜、即ち、物品の構成部材として利用してもよい。
【００４９】
なお、本実施形態では、型２として、凹凸パターンを設けた回路パターン転写用の型について説明したが、型２は、凹凸パターンがない平面部を有する型（平面テンプレート）であってもよい。平面テンプレートは、平面部によって基板上の組成物を平坦化するように成形する平坦化処理（成形処理）を行う平坦化装置（成形装置）に用いられる。平坦化処理は、基板上に供給された硬化性組成物に平面テンプレートの平面部を接触させた状態で、光の照射によって、或いは、加熱によって硬化性組成物を硬化させる工程を含む。このように、本実施形態は、平面テンプレートを用いて基板上の組成物を成形する成形装置に適用することができる。
【００５０】
基板上の下地パターンは、前工程で形成されたパターンに起因する凹凸プロファイルを有し、特に、近年のメモリ素子の多層構造化に伴い、基板（プロセスウエハ）は、１００ｎｍ前後の段差を有することもある。基板全体の緩やかなうねりに起因する段差は、フォトリソグラフィ工程で用いられている露光装置（スキャナー）のフォーカス追従機能によって補正可能である。但し、露光装置の露光スリット面積内に収まるピッチの細かい凹凸は、そのまま露光装置の焦点深度（ＤＯＦ：Ｄｅｐｔｈ  Ｏｆ  Ｆｏｃｕｓ）を消費してしまう。基板の下地パターンを平滑化する従来技術として、ＳＯＣ（Ｓｐｉｎ  Ｏｎ  Ｃａｒｂｏｎ）やＣＭＰ（Ｃｈｅｍｉｃａｌ  Ｍｅｃｈａｎｉｃａｌ  Ｐｏｌｉｓｈｉｎｇ）などの平坦化層を形成する技術が用いられている。しかしながら、従来技術では、図８（ａ）に示すように、孤立パターン領域Ａと繰り返しＤｅｎｓｅ（ライン＆スペースパターンの密集）パターン領域Ｂとの境界部分において、４０％〜７０％の凹凸抑制率しか得られず、十分な平坦化性能が得られない。また、今後、多層化による下地パターンの凹凸差は更に増加する傾向にある。
【００５１】
この問題に対する解決策として、米国特許第９４１５４１８号には、平坦化層となるレジストのインクジェットディスペンサによる塗布と平面テンプレートによる押印で連続膜を形成する技術が提案されている。また、米国特許第８３９４２８２号には、基板側のトポグラフィ計測結果をインクジェットディスペンサによって塗布指示する位置ごとの濃淡情報に反映する技術が提案されている。インプリント装置１００は、特に、予め塗布された未硬化のレジストに対して、型２の代わりに平面テンプレートを押し当てて基板面内の局所平面化を行う平坦加工（平坦化）装置として適用することができる。
【００５２】
図８（ａ）は、平坦化加工を行う前の基板を示している。孤立パターン領域Ａは、パターン凸部分の面積が少ない。繰り返しＤｅｎｓｅパターン領域Ｂにおいて、パターン凸部分の占める面積と、パターン凹部分の占める面積とは、１：１である。孤立パターン領域Ａと繰り返しＤｅｎｓｅパターン領域Ｂの平均の高さは、パターン凸部分の占める割合で異なった値となる。
【００５３】
図８（ｂ）は、基板に対して平坦化層を形成するレジストを塗布した状態を示している。図８（ｂ）には、米国特許第９４１５４１８号に提案された技術に基づいてインクジェットディスペンサによってレジストを塗布した状態を示しているが、レジストの塗布には、スピンコーターを用いてもよい。換言すれば、予め塗布された未硬化のレジストに対して平面テンプレートを押し付けて平坦化する工程を含んでいれば、インプリント装置１００が適用可能である。
【００５４】
図８（ｃ）に示すように、平面テンプレートは、紫外線を透過するガラス又は石英で構成され、光源からの紫外線の照射によってレジストが硬化する。平面テンプレートは、基板全体のなだらかな凹凸に対しては基板表面のプロファイルに倣う。そして、レジストが硬化した後、図８（ｄ）に示すように、レジストから平面テンプレートを引き離す。
【００５５】
以上、本発明の好ましい実施形態について説明したが、本発明はこれらの実施形態に限定されないことはいうまでもなく、その要旨の範囲内で種々の変形及び変更が可能である。例えば、空調システム５０は、インプリント処理を行う期間において、気流ＡＦ１を形成するように、ブース１０１に温調された気体を供給する動作を行っているともいえる。一方、気体供給部７０は、インプリント処理を行わない期間において、気流ＡＦ２を形成するように、ブース１０１に温調されていない気体を供給する動作を行っているともいえる。このような空調システム及び気体供給部を有するインプリント装置も本発明の一側面を構成する。
【符号の説明】
【００５６】
１００：インプリント装置    １：基板    ２：型    ４：ステージ定盤    ６：基板ステージ    ５０：空調システム    ６０：チャンバ    ７０：気体供給部
【図１】
2019145592.tif 000003
【図２】
2019145592.tif 000004
【図３】
2019145592.tif 000005
【図４】
2019145592.tif 000006
【図５】
2019145592.tif 000007
【図６】
2019145592.tif 000008
【図７】
2019145592.tif 000009
【図８】
2019145592.tif 000010